(57)【要約】【課題】記録ヘッドに対する被印刷媒体の相対的に移動速度を変えることなく、出力イメージデータの出力濃度を変更する。【解決手段】記録ヘッド１４１に対して所定速度で相対的に移動する被印刷媒体１４３上に、出力イメージデータに従って記録ヘッドからインクを吐出して画像を印刷する際、設定された出力濃度倍率に従って出力イメージデータ１２１を加工するとともに、前記設定された出力濃度倍率に応じて記録ヘッド１４１のインク吐出時間間隔１３２を決定する。この決定されたインク吐出時間間隔で記録ヘッド１４１を駆動して、加工済出力イメージデータ１２３の印刷を行う。【選択図】図１
2009262437.tif 000002
【特許請求の範囲】
【請求項１】
記録ヘッドに対して所定速度で相対的に移動する被印刷媒体上に、出力イメージデータに従って前記記録ヘッドからインクを吐出して画像を印刷する印刷制御方法であって、
出力濃度倍率を設定するステップと、
設定された出力濃度倍率に従って出力イメージデータを加工するステップと、
前記設定された出力濃度倍率に応じて前記記録ヘッドのインク吐出時間間隔を決定するステップと、
決定されたインク吐出時間間隔で前記記録ヘッドを駆動して、加工済出力イメージデータの印刷を行うステップと
を備えた印刷制御方法。
【請求項２】
標準濃度に対するｎ％の出力濃度倍率が設定されたとき、前記記録ヘッドの相対移動方向における画像サイズをｎ／１００倍にするとともに、前記相対移動方向におけるインク吐出時間間隔を１００／ｎ倍にする請求項１に記載の印刷制御方法。
【請求項３】
印刷対象の画像データはベクトルデータを含み、ベクトルデータに対して前記相対移動方向における座標値をｎ／１００倍として前記ベクトルデータの展開を行うことにより前記出力イメージデータの展開時に加工を行う請求項２に記載の印刷制御方法。
【請求項４】
印刷対象の画像データはビットマップデータを含み、ビットマップデータの各画素を前記相対移動方向においてｎ／１００倍に複製することにより前記出力イメージデータの加工を行う請求項２に記載の印刷制御方法。
【請求項５】
前記出力イメージデータの加工を画像データの転送元装置で行う請求項１〜４のいずれかに記載の印刷制御方法。
【請求項６】
画像データの転送元装置において複数の出力濃度倍率に対応する複数の加工済の出力イメージデータを用意して前記複数の出力濃度倍率の値とともに印刷装置へ送信し、印刷装置において受信した複数の加工済出力イメージデータを当該出力濃度倍率の値に対応して格納し、設定された出力濃度倍率に応じて前記複数の加工済出力イメージデータから該当する加工済出力イメージデータを選択して印刷に用いる請求項５に記載の印刷制御方法。
【請求項７】
前記出力イメージデータの加工を印刷装置で行う請求項１〜４のいずれかに記載の印刷制御方法。
【請求項８】
記録ヘッドに対して所定速度で相対的に移動する被印刷媒体上に、出力イメージデータに従って前記記録ヘッドからインクを吐出して画像を印刷させるコンピュータプログラムであって、
出力濃度倍率を設定するステップと、
設定された出力濃度倍率に従って出力イメージデータを加工するステップと、
前記設定された出力濃度倍率に応じて前記記録ヘッドのインク吐出時間間隔を決定するステップと
をコンピュータに実行させるコンピュータプログラム。
【請求項９】
記録ヘッドに対して所定速度で相対的に移動する被印刷媒体上に、出力イメージデータに従って前記記録ヘッドからインクを吐出して画像を印刷する印刷システムにおいて、
出力濃度倍率を設定する出力濃度倍率設定手段と、
設定された出力濃度倍率に従って出力イメージデータを加工するデータ加工手段と、
前記設定された出力濃度倍率に応じて前記記録ヘッドのインク吐出時間間隔を決定するインク吐出時間間隔決定手段と
を備えた印刷システム。
【請求項１０】
前記出力濃度倍率設定手段により標準濃度に対するｎ％の出力濃度倍率が設定されたとき、前記データ加工手段は前記移動の方向における画像サイズをｎ／１００倍にするとともに、前記インク吐出時間間隔決定手段は前記移動の方向におけるインク吐出時間間隔を１００／ｎ倍にする請求項９に記載の印刷システム。
【請求項１１】
印刷対象の画像データはベクトルデータを含み、ベクトルデータに対して前記相対移動方向における座標値をｎ／１００倍として前記ベクトルデータの展開を行うことにより前記出力イメージデータの展開時に加工を行う請求項９に記載の印刷システム。
【請求項１２】
印刷対象の画像データはビットマップデータを含み、ビットマップデータの各画素を前記相対移動方向においてｎ／１００倍に複製することにより前記出力イメージデータを生成する請求項９に記載の印刷システム。
【請求項１３】
記録ヘッドに対して所定速度で相対的に移動する被印刷媒体上に、出力イメージデータに従って前記記録ヘッドからインクを吐出して画像を印刷する印刷装置において、
出力濃度倍率を設定する出力濃度倍率設定手段と、
設定された出力濃度倍率に従って出力イメージデータを加工するデータ加工手段と、
前記設定された出力濃度倍率に応じて前記記録ヘッドのインク吐出時間間隔を決定するインク吐出時間間隔決定手段と
を備えた印刷装置。
【発明の詳細な説明】
【技術分野】
【０００１】
本発明は、画像データの加工による出力イメージの生成とインク吐出時間間隔の制御を行うことにより印刷濃度を変更する機能を有した印刷システムに関する。
【背景技術】
【０００２】
従来、インクを吐出可能な記録ヘッドに対して相対的に搬送される被印刷媒体に、出力イメージデータに応じて記録ヘッドからインクを吐出することにより画像を形成する印刷装置としてインクジェット印刷装置が知られている。インクジェット印刷装置では、複数の色のインクを用いることによりフルカラー画像の記録も容易である。
【０００３】
記録速度の向上のため、複数のノズルを被印刷媒体の搬送方向と直交する方向に沿って配列したいわゆるラインヘッドを用いるライン型インクジェット印刷装置も知られている。
【０００４】
ところで、従来、印刷濃度を変更したい場合、特に印刷濃度を増加させたい場合がある。例えば、被印刷媒体の種類によって、例えば段ボールなどのように吸湿性のよいものでは、濃度が予期したものより低下する場合がある。
【０００５】
従来のインクジェット記録方式による印刷時の印刷濃度変更作業においては、使用するインクそのものの濃度を上げる、インクの色を変更したり元イメージデータの色を濃くしたりする、被印刷媒体の搬送速度（もしくは記録ヘッドの移動速度）を変更する、または特許文献１に示す技術のように同色の記録ヘッドから同一箇所に重ねて吐出することで色素ドットの面積内含有比率を調整する、等の措置を採る必要があった。
【０００６】
また、同色の記録ヘッドから同一箇所に重ねて吐出するケースでは、複数の同色記録ヘッドを用意して同一箇所に吐出するか、同一箇所を複数回走査して重ね打ちする必要があり、結果としてコストの向上や生産性の悪化を招くため、シンプルな構成においても搬送速度が一定速度のまま濃度の変更ができる手段が必要とされている。
【特許文献１】特開２００６−６９２０２号公報
【発明の開示】
【発明が解決しようとする課題】
【０００７】
しかしながら、使用するインクの変更や元イメージデータの色の変更は余分な手間や投資を必要とするため、ユーザに大きな負担を強いることになる。
【０００８】
また、搬送速度や記録ヘッドの移動速度などを変更して印刷速度そのものを変更するケースでは、被印刷媒体が連続紙の場合、一連の印刷処理の中に異なる濃度のデータが存在すると、出力結果を得られるタイミングが異なり、後工程の作業（例えば紙折り処理など）が容易にできなくなってしまう。
【０００９】
本発明はこのような背景においてなされたものであり、その目的は、記録ヘッドに対する被印刷媒体の相対的な移動速度を変えることなく、出力イメージデータの出力濃度を変更することができる印刷制御方法、コンピュータプログラム、印刷システムおよび印刷装置を提供することにある。
【課題を解決するための手段】
【００１０】
本発明による印刷制御方法は、記録ヘッドに対して所定速度で相対的に移動する被印刷媒体上に、出力イメージデータに従って前記記録ヘッドからインクを吐出して画像を印刷する印刷制御方法であって、出力濃度倍率を設定するステップと、設定された出力濃度倍率に従って出力イメージデータを加工するステップと、前記設定された出力濃度倍率に応じて前記記録ヘッドのインク吐出時間間隔を決定するステップと、決定されたインク吐出時間間隔で前記記録ヘッドを駆動して、加工済出力イメージデータの印刷を行うステップとを備えたものである。
【００１１】
出力濃度倍率に従って出力イメージデータを加工するとともに、設定された出力濃度倍率に応じて前記記録ヘッドのインク吐出時間間隔を決定し、決定されたインク吐出時間間隔で前記記録ヘッドを駆動して、加工済出力イメージデータの印刷を行うことにより、記録ヘッドの相対移動速度は一定のまま、出力結果において出力濃度が変更される。出力結果の画像サイズも変化しない。
【００１２】
具体的には、出力濃度倍率設定手段により標準濃度に対するｎ％の出力濃度倍率が設定されたとき、前記データ加工手段は前記記録ヘッドの相対移動方向における画像サイズをｎ／１００倍にするとともに、前記インク吐出時間間隔決定手段は前記相対移動方向におけるインク吐出時間間隔を１００／ｎ倍にする。
【００１３】
印刷対象の画像データはベクトルデータを含む場合、ベクトルデータに対して前記相対移動方向における座標値をｎ／１００倍として前記ベクトルデータの展開を行うことができる。
【００１４】
印刷対象の画像データはビットマップデータを含む場合、ビットマップデータの各画素を前記相対移動方向においてｎ／１００倍に複製することにより前記出力イメージデータの加工を行うことができる。
【００１５】
前記出力イメージデータの加工は、画像データの転送元装置および印刷装置のいずれで行うことも可能である。
【００１６】
画像データの転送元装置で行う場合、画像データの転送元装置において複数の出力濃度倍率に対応する複数の加工済の出力イメージデータを用意して前記複数の出力濃度倍率の値とともに印刷装置へ送信し、印刷装置において受信した複数の加工済出力イメージデータを当該出力濃度倍率の値に対応して格納し、設定された出力濃度倍率に応じて前記複数の加工済出力イメージデータから該当する加工済出力イメージデータを選択して印刷に用いることができる。
【００１７】
本発明によるコンピュータプログラムは、記録ヘッドに対して所定速度で相対的に移動する被印刷媒体上に、出力イメージデータに従って前記記録ヘッドからインクを吐出して画像を印刷させるコンピュータプログラムであって、出力濃度倍率を設定するステップと、設定された出力濃度倍率に従って出力イメージデータを加工するステップと、前記設定された出力濃度倍率に応じて前記記録ヘッドのインク吐出時間間隔を決定するステップとをコンピュータに実行させるものである。
【００１８】
本発明による印刷システムは、記録ヘッドに対して所定速度で相対的に移動する被印刷媒体上に、出力イメージデータに従って前記記録ヘッドからインクを吐出して画像を印刷する印刷システムにおいて、出力濃度倍率を設定する出力濃度倍率設定手段と、設定された出力濃度倍率に従って出力イメージデータを加工するデータ加工手段と、前記設定された出力濃度倍率に応じて前記記録ヘッドのインク吐出時間間隔を決定するインク吐出時間間隔決定手段とを備えたものである。
【００１９】
本発明による印刷装置は、記録ヘッドに対して所定速度で相対的に移動する被印刷媒体上に、出力イメージデータに従って前記記録ヘッドからインクを吐出して画像を印刷する印刷装置において、出力濃度倍率を設定する出力濃度倍率設定手段と、設定された出力濃度倍率に従って出力イメージデータを加工するデータ加工手段と、前記設定された出力濃度倍率に応じて前記記録ヘッドのインク吐出時間間隔を決定するインク吐出時間間隔決定手段とを備えたものである。
【００２０】
本発明の他の構成および作用効果については以下に説明する。
【発明の効果】
【００２１】
本発明によれば、記録ヘッドの本数や被印刷媒体の搬送系などの既存装置の構成を変更することなく、また、記録ヘッド相対移動速度を変更することなく、出力濃度倍率を変更することが可能となる。
【発明を実施するための最良の形態】
【００２２】
以下に、図面を参照して、この発明の最適な実施の形態を例示的に詳しく説明する。ただし、本発明はこの実施の形態に記載されている具体的な構成、手順、数値等に限定されるものではない。
【００２３】
図１は本発明の第１の実施の形態に係る印刷システムの概略構成を示すものである。
【００２４】
この印刷システムは、印刷対象の画像データを生成するホストコンピュータ（ＰＣ）のような転送元装置１００と、この転送元装置１００から画像データを受信して画像を印刷する印刷装置１１０とを備える。
【００２５】
転送元装置１００は、中央処理装置（ＣＰＵ）１０１、ＲＡＭ１０２、記憶装置１０３、ＵＳＢインタフェース部１０４等を備える。ＣＰＵ１０１は、記憶装置１０３に記憶されているコンピュータプログラムを実行して、転送元装置の各部を制御する。記憶装置１０３は、ＲＯＭ、ＨＤＤ等を含み、ＯＳ、デバイスドライバ、アプリケーションソフトウェア、および後述する処理を実現するプログラムやデータを格納する。ＲＡＭ１０２は、転送および印刷に関わるデータを記憶するためのメモリである。転送元装置１００と印刷装置１１０との間のインタフェースはＵＳＢに限らず、例えばＲＣ−２３２Ｃ、ＩｒＤＡ、ＩＥＥＥ１３９４等のシリアルインタフェースや、ＩＥＥＥ１２８４、ＳＣＳＩ、ＩＤＥなどのパラレルインタフェース、および／または、ネットワークインタフェースなども可能である。本発明のデータ加工手段、出力濃度倍率設定手段、およびインク吐出時間間隔決定手段は、ＣＰＵ１０１のプログラム処理により実現される。
【００２６】
図１に示すように本実施の形態において、ＲＡＭ１０２には、印刷対象の画像データとしての未加工出力イメージデータ（描画コマンド集合体）１２１、ユーザから指定された出力濃度倍率１２２、未加工出力イメージデータを出力濃度倍率に応じて加工した結果得られた加工済出力イメージデータ１２３、等を格納している。未加工出力イメージデータ１２１（すなわち元データ）のデータ形式やその生成工程は特に限定しない。未加工出力イメージデータ１２１の出力レイアウトイメージ１２４は、記録ヘッド相対移動方向に沿った辺Ｘとこれに垂直な辺Ｙとにより把握される。加工済出力イメージデータ１２３の画像データイメージ１２５は、記録ヘッド相対移動方向に沿った辺Ｘ’とこれに垂直な辺Ｙとにより把握される。標準濃度に対するｎ％の出力濃度倍率が設定されたとき、記録ヘッド相対移動方向の辺Ｘ’のデータサイズは辺Ｘの（ｎ／１００）倍とする。例えば出力濃度倍率が２００％であれば記録ヘッド相対移動方向のデータサイズは２倍とする。
【００２７】
印刷装置１１０は、中央処理装置（ＣＰＵ）１１１、ＵＳＢインタフェース部１１２、ＲＯＭ１１３、ＲＡＭ１１４、印刷機構１１５等を備える。ＣＰＵ１１１は、ＲＯＭ１１３に記憶されているプログラムを実行して、印刷装置１１０の各部を制御する。ＲＯＭ１１３は、印刷装置１１０を制御するプログラムおよび後述する処理を実現するプログラムやデータを格納する。ＲＡＭ１１４には、記録ヘッドの動作パラメータとして、基本吐出時間間隔値１３１および動作吐出時間間隔値１３２が保持される。基本吐出時間間隔値１３１は、標準的な動作時の記録ヘッドから連続的にインクを吐出する際の時間間隔を表す値であり、インク吐出周波数の逆数に相当する。動作吐出時間間隔値１３２は、出力濃度倍率が指定されたときの実際の動作時の吐出時間間隔値である。
【００２８】
なお、基本吐出時間間隔値１３１および動作吐出時間間隔値１３２は、これらをプログラム処理上で利用できるならば、必ずしも動作パラメータとしてＲＡＭ１１４の所定の領域に記憶しておく必要はない。
【００２９】
印刷機構１１５は、記録ヘッド１４１および搬送装置１４２を有し、記録ヘッド１４１に対して所定速度で相対的に移動する用紙等の被印刷媒体１４３上にインクを吐出して画像を記録することにより印刷結果１４４が得られる。図では被印刷媒体１４３の全幅に亘って複数のノズルが配列された配列されたライン型の記録ヘッドを複数用いた例を示している。但し、記録ヘッドの個数は図示のように４個に限るものではなく、単一個であってもよい。また、記録ヘッドはライン型に限るものではなくいわゆるシリアル型の記録ヘッドであってもよい。
【００３０】
図２は本発明の概念を説明するための図である。
【００３１】
図２（ａ）は未加工出力イメージデータの簡略化した一例を示している。この図では横軸Ｘが記録ヘッド相対移動方向を示している。この画像は座標（２，２）から座標（５，７）に引かれた線分を示している。未加工出力イメージデータについての出力濃度倍率は標準濃度の値（１００％）であり、そのときの吐出時間間隔は標準の基本吐出時間間隔値ｔである。
【００３２】
図２（ｂ）は図２（ａ）の未加工出力イメージデータを、出力濃度倍率（２００％）に対応した加工済出力イメージデータ（１）を示したものである。このとき、動作吐出時間間隔値Ｔ＝ｔ／２と決定される。この例は、印刷対象の画像データがビットマップデータのような場合、そのビットマップデータの各画素を記録ヘッド相対移動方向（この例では被印刷媒体１４３の搬送方向）においてｎ／１００倍（この例では２倍）に複製することにより加工を行うものである。出力濃度倍率１００％の場合と出力濃度倍率ｎ％の場合とで、被印刷媒体に対する記録ヘッドの相対移動速度が同じであっても、出力濃度倍率ｎ（％）の場合、動作吐出時間間隔Ｔが基本吐出時間間隔値ｔの１００／ｎ倍、すなわちｔ×１００／ｎ（この例ではｔ／２）と決定されることから、被印刷媒体上に実際に形成される画像のサイズはいずれの出力濃度倍率に関わらず同じになる。
【００３３】
なお、画素の複製は出力濃度倍率が整数である場合に適用が容易であるが、小数であっても、端数処理を行うことにより適用可能である。
【００３４】
動作吐出時間間隔Ｔは出力濃度倍率から予め定めた計算式を用いて得る他、出力濃度倍率の値に対応して予め定義された値を定めた変換テーブルから求めてもよい。
【００３５】
図２（ｃ）は図２（ａ）未加工出力イメージデータを、出力濃度倍率（２００％）に対応した加工済出力イメージデータ（２）を示したものである。図２（ｂ）の加工済出力イメージデータ（１）のように単に画素を複製するのではなく、印刷対象の画像データがベクトルデータを含むような場合、ベクトルデータに対して記録ヘッド相対移動方向における座標値をｎ／１００倍としてベクトルデータのラスタデータへの展開を行うことによりその展開時に加工を行うことができる。図２（ｃ）の例は、座標（２，２）から座標（５，７）に引かれた線分を、座標（３，２）から座標（１０，７）に引かれた線分として描画することにより、記録ヘッド相対移動方向において画像サイズをｎ／１００倍（ここでは２倍）としている。
【００３６】
図２（ｂ）と図２（ｃ）の方法を比較すると、図２（ｂ）は吐出画素数が正確にｎ／１００倍されるので、所期の出力濃度を得ることができる。これに対して図２（ｃ）は出力濃度の増大時に画像サイズを拡大して画像を展開するので、実質的に解像度を増大させることができる。
【００３７】
次に本実施の形態の動作を図３、図４に示すフローチャートを参照して説明する。図３は、転送元装置１００の処理を表しており、ＣＰＵ１０１が記憶装置１０３内のプログラムを読み出して実行することにより実現される。そのプログラムはＯＳ、プリンタドライバ、アプリケーションのいずれかまたはそれらの組み合わせであってよい。
【００３８】
まず、記憶装置１０３または外部等から未加工出力イメージデータを取得する（Ｓ２０１）。ついで、出力濃度倍率（倍率ｎ）を取得する（Ｓ２０２）。この倍率ｎは、例えば印刷画面（図示せず）などにおけるユーザの入力操作により入力され、出力濃度倍率１２２としてＲＡＭ１０２に格納されたものである。そこで、描画コマンドに従って、描画処理を行う。ここでは上述したベクトルデータの展開による描画処理を想定している。すなわち、与えられた印刷ジョブにおいて描画コマンドがあれば（Ｓ２０３，Ｙｅｓ）、ベクトルの辺Ｘ要素（ここでは座標値）をｎ／１００倍し（Ｓ２０４）、その結果を用いて描画を実行する（Ｓ２０５）。描画結果は加工済出力イメージデータとして加工済出力イメージデータ１２３の一部としてＲＡＭ１０２に保存する（Ｓ２０６）。与えられた印刷ジョブの描画コマンドがなくなったら、加工済出力イメージデータをその出漁濃度倍率（ｎ）とともに印刷装置１１０へ転送する（Ｓ２０７、Ｓ２０８）。
【００３９】
図４は、印刷装置１１０の処理を表しており、ＣＰＵ１１１がＲＯＭ１１３内のプログラムを読み出して実行することにより実現される。
【００４０】
印刷装置１１０は、まず転送元装置１００から送信された加工済出力イメージデータ１２３および、出力濃度倍率（ｎ％）を取得する（Ｓ３０１，Ｓ３０２）。ついで、基本吐出時間間隔ｔと出力濃度倍率ｎに基づいて算出した結果ｔ×１００／ｎを動作出力時間間隔Ｔとして算出し（Ｓ３０３）、その値をインク吐出時間間隔として設定する（Ｓ３０４）。そこで、印刷装置１１０は印刷機構１１５に対して加工済出力イメージデータを出力するとともに、設定されたインク吐出時間間隔で記録ヘッド１４１を駆動して印刷を実行させる（Ｓ３０５）。
【００４１】
上記の説明では、未加工出力イメージデータ１２１を加工して加工済出力イメージデータを得る処理は転送元装置１００で行う例を示したが、印刷装置１１０側で行うことも可能である。その場合、記憶装置１０３に記憶するプログラムとして出力イメージデータの加工のためのプログラム要素は不要となる。一方、印刷装置のＲＯＭ１１３にはそのようなプログラム要素が必要となる。
【００４２】
次に、本発明の第２の実施の形態について説明する。
【００４３】
図５は第２の実施の形態に係る印刷システムの概略構成を示すものである。図１に示した印刷システムと同様の要素には同じ参照番号を付して、重複した説明を省略する。
【００４４】
この印刷システムは、印刷対象の画像データを生成するホストコンピュータ（ＰＣ）のような転送元装置５００と、この転送元装置５００から画像データを受信して画像を印刷する印刷装置１１０とを備える。この実施の形態では、転送元装置５００において、同じ画像データについて複数の出力濃度倍率について対応する加工済出力イメージデータを予め生成してＲＡＭ５０２内に格納しておく。すなわち、ＲＡＭ５０２には、加工済出力イメージデータ５２１とその出力濃度倍率５２２、加工済出力イメージデータ５２３とその出力濃度倍率５２４、のように加工済出力イメージデータと出力濃度倍率の組を複数組格納する。
【００４５】
図６は、転送元装置５００の処理を表している。このフローチャートにおいて図３に示した要素と同様の要素には同じ参照番号を付して、重複した説明を省略する。ステップＳ２０１〜Ｓ２０６は図３の処理と同じであり、未加工出力イメージデータの加工済出力イメージデータに変換して保存する処理である。ステップＳ２０３において、描画コマンドがなくなったと判断されたら、ステップＳ６０１において、次の濃度倍率があるかどうかをチェックする。もしあれば、ステップＳ２０２に戻って、新たな出力濃度倍率について加工済み出力イメージデータの生成および保存を行う。このようにして、図５のＲＡＭ５０２に示したような同じ画像データについて複数組の加工済出力イメージデータと出力濃度倍率が用意される。
【００４６】
図７は、転送元装置５００が加工済出力イメージデータを印刷装置へ転送する際の処理のフローチャートである。
【００４７】
まず、ユーザの指示等に応じて出力濃度倍率（ｎ％）を選択する（Ｓ７０１）。ついで、この選択された出力濃度倍率に対応する加工済出力イメージデータを取得する（Ｓ７０２）。そこで、この加工済出力イメージデータおよび当該出力濃度倍率（ｎ％）を印刷装置へ転送する（Ｓ７０３，Ｓ７０４）。
【００４８】
第２の実施の形態における印刷装置１１０の動作は第１の実施の形態と同じである。
【００４９】
上記実施の形態で説明した機能をコンピュータで実現するための、コンピュータにインストールされるプログラムコード自体も本発明を構成するものである。つまり、本発明における特許請求の範囲に記載した要件を満たす機能を実現するコンピュータプログラム自体も本願発明に含まれる。なお、プログラムとしては、プロセッサが直接に解釈し実行可能なオブジェクトコードプログラム、および、インタプリタにより実行されるプログラム、ＯＳまたはアプリケーション上で動作するスクリプトデータ形式のプログラム等、プログラムの形態は問わない。また、プログラムを供給するための「記録媒体」としては、例えば、磁気記憶媒体（フレキシブルディスク、ハードディスク、磁気テープ等）、光ディスク（ＭＯやＰＤ等の光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−Ｒ、ＤＶＤ−ＲＷ、ＤＶＤ＋ＲＷ等）、半導体ストレージ、紙テープ、ＲＯＭ素子などを挙げることができる。
【００５０】
以上、本発明の好適な実施の形態について説明したが、上記で言及した以外にも種々の変形、変更を行うことが可能である。
【図面の簡単な説明】
【００５１】
【図１】本発明の第１の実施の形態に係る印刷システムの概略構成を示す図である。
【図２】本発明の概念を説明するための図である。
【図３】図１の印刷システムの転送元装置の処理を表したフローチャートである。
【図４】図１の印刷システムの印刷装置の処理を表したフローチャートである。
【図５】本発明の第２の実施の形態に係る印刷システムの概略構成を示す図である。
【図６】図５の印刷システムにおける転送元装置の処理を表したフローチャートである。
【図７】図５の印刷システムにおける転送元装置が加工済出力イメージデータを印刷装置へ転送する際の処理のフローチャートである。
【符号の説明】
【００５２】
１００…転送元装置
１０３…記憶装置
１０４…ＵＳＢインタフェース部
１１０…印刷装置
１１２…ＵＳＢインタフェース部
１１５…印刷機構
１２１…未加工出力イメージデータ
１２２…出力濃度倍率
１２３…加工済出力イメージデータ
１２４…出力レイアウトイメージ
１２５…画像データイメージ
１３１…基本吐出時間間隔値
１３２…動作吐出時間間隔値
１４１…記録ヘッド
１４２…搬送装置
１４３…被印刷媒体
１４４…印刷結果
５００…転送元装置
５２１…加工済出力イメージデータ＃１
５２２…出力濃度倍率＃１
５２３…加工済出力イメージデータ＃２
５２４…出力濃度倍率＃２
【図１】
2009262437.tif 000003
【図２】
2009262437.tif 000004
【図３】
2009262437.tif 000005
【図４】
2009262437.tif 000006
【図５】
2009262437.tif 000007
【図６】
2009262437.tif 000008
【図７】
2009262437.tif 000009